(57)【要約】      （修正有）【課題】流入側から流れ来る汚泥をスクレーパによって巻き上げず沈降が促進されるようにして沈澱池内の水質の向上・維持が図られるようにした汚泥掻寄装置を提供する。【解決手段】前後の端壁２、３と左右の側壁および汚泥ピット６付き底壁５とを備えてなる矩形沈澱池内の底壁上の池幅中央に沿った位置にガイドレール７等の案内軌道が設定され、この案内軌道上に沿って長尺状の機体１０が設けられて車輪１８を案内軌道上に進退自在とされるとともに、機体１０の前後複数個所にスクレーパ軸２１を介して上下切換可能な汚泥スクレーパ２３を配備して、駆動手段による機体１０の前後方向への動きに連動して汚泥スクレーパ２３を掻寄状態と復帰状態に姿勢切換可能に構成した汚泥掻寄装置であって、汚泥スクレーパ２３の全ては、復帰時にスクレーパ軸２１から後下がり状態に持ち上がるように設定されている。【選択図】図５
0003223416.tif 000002
【実用新案登録請求の範囲】
【請求項１】
前後の端壁と左右の側壁および汚泥ピット付き底壁とを備えてなる矩形沈澱池内の底壁上の池幅中央に沿った位置にガイドレール等の案内軌道が設定され、この案内軌道上に沿って長尺状の機体が設けられて車輪を案内軌道上に介して進退自在とされるとともに、機体の前後複数個所にスクレーパ軸を介して上下切換可能な汚泥スクレーパを配備して、駆動手段による機体の前後方向への動きに連動して汚泥スクレーパを掻寄状態と復帰状態に姿勢切換可能に構成した汚泥掻寄装置であって、前記汚泥スクレーパの全ては、復帰時にスクレーパ軸から後下がり状態に持ち上がるように設定されていることを特徴とする汚泥掻寄装置。
【考案の詳細な説明】
【技術分野】
【０００１】  この考案は、汚泥掻寄装置に関する。
【背景技術】
【０００２】  矩形沈澱池は、矩形の短辺を前後の端壁とし長辺を幅方向に対向する左右の側壁とするとともに底壁を備えこの底壁の汚泥掻寄方向である前側の端壁側に汚泥ピットを備えて立体構造を構成したものでなる。沈澱池のピットの上方に対応する前側の端壁が上流側とされてその上側には沈澱池外から導かれてきた汚水が導入される流入渠が設けられるとともに同流入渠の池内への出口に横断状に設けた多孔状の整流壁（板）の整流孔を通じて汚水を整流化しながらごく緩徐な流れにして沈澱池内に送り込みそのまま下流側へゆっくりと流すことにより沈降を促進して底壁上に汚泥を沈澱させるようにしてある。底壁上に沈澱した汚泥は、汚泥掻寄装置により汚泥ピットまで掻き寄せられ回収されピット外に排出されるようにしてある。
前記汚泥掻寄装置には種々のものがあるが、ここではその一例として特許文献１を示す。【０００３】
【特許文献１】特開２０１７−１４８７９１
【考案の概要】
【考案が解決しようとする課題】
【０００４】  特許文献１に開示された汚泥掻寄装置は、池底の池幅中央を通るようにガイドレールを固定して備え、このガイドレールには、前後一対ずつの車輪を介してレールに平行をなして進退するようにした機体を備える。この機体は、丸パイプを長尺状にした機体本体を備え、その機体本体の前端には前取付台がまた後端には後取付台が設置され、それぞれに左右一対の軸受を固定するとともに、これらにスクレーパ軸を介して前後に汚泥スクレーパを備えている。そして、汚泥スクレーパは、例えば、リンクチェーン駆動方式により後退したのちに垂直な汚泥掻寄姿勢とされて機体とともに前進されて前方のピット方向に汚泥を掻き寄せることでピットに汚泥を落とし込むようにされ、前進して掻寄を終えると汚泥スクレーパは掻き戻しをしない持上状態にしてその状態を保ったまま後方の元の位置まで復帰運動をするようになっている。
しかし、従来の汚泥掻寄装置では、掻寄ストロークを短くして効率的な掻き寄せができるようにするなどの目的で前後の他に中間スクレーパを１枚あるいは２枚等備えた複数枚式のものが一般的であったが、こうしたものにあっては、汚泥スクレーパの後端のものを除く前方の全てのスクレーパが、掻寄を終えて元に復帰する際には掻寄方向である前向きに持ち上げ姿勢で復帰するようにされていた。その結果、スクレーパは前上がりになって後退するので、それが案内羽根となって作用して、上流側から流れ来る汚泥を上昇流として持ち上げてしまい、汚泥の沈降作用を阻害して浄化に悪影響を及ぼす一因になっていた。【０００５】  この考案は、上記問題を解決しようとするもので、復帰時に流入側から流れ来る汚泥をスクレーパによって巻き上げず沈降が促進されるようにして沈澱池内の水質の向上・維持が図られるようにした汚泥掻寄装置を提供することを目的とする。
【課題を解決するための手段】
【０００６】  この考案は上記目的を達成するため、請求項１に記載の考案は、前後の端壁と左右の側壁および汚泥ピット付き底壁とを備えてなる矩形沈澱池内の底壁上の池幅中央に沿った位置にガイドレール等の案内軌道が設定され、この案内軌道上に沿って長尺状の機体が設けられて車輪を案内軌道上に介して進退自在とされるとともに、機体の前後複数個所にスクレーパ軸を介して上下切換可能な汚泥スクレーパを配備して、駆動手段による機体の前後方向への動きに連動して汚泥スクレーパを掻寄状態と復帰状態に姿勢切換可能に構成した汚泥掻寄装置であって、前記汚泥スクレーパの全ては、復帰時にスクレーパ軸から後下がり状態に持ち上がるように設定されていることを特徴とする。前記構成は２水路１駆動方式の汚泥掻寄装置にも適用がある。
【考案の効果】
【０００７】  上述したように、請求項１に記載の考案は、前後の端壁と左右の側壁および汚泥ピット付き底壁とを備えてなる矩形沈澱池内の底壁上の池幅中央に沿った位置にガイドレール等の案内軌道が設定され、この案内軌道上に沿って長尺状の機体が設けられて車輪を案内軌道上に介して進退自在とされるとともに、機体の前後複数個所にスクレーパ軸を介して上下切換可能な汚泥スクレーパを配備して、駆動手段による機体の前後方向への動きに連動して汚泥スクレーパを掻寄状態と復帰状態に姿勢切換可能に構成した汚泥掻寄装置であって、前記汚泥スクレーパの全ては、復帰時にスクレーパ軸から後下がり状態に持ち上がるように設定されていることを特徴とするので、復帰時に流入側から流れ来る汚泥をスクレーパによって巻き上げず沈降が促進されるようにして沈澱池内の水質の向上・維持が図られるようにした汚泥掻寄装置を提供することができる。
【図面の簡単な説明】
【０００８】
【図１】  この考案の一実施形態を示す図２のＩ−Ｉ線に対応する横断面図。
【図２】  前進掻寄状態の装置を示す図１のＩＩ−ＩＩ線断面図。
【図３】  図１のＩＩＩ−ＩＩＩ線に対応する横断面図。
【図４】  図１のＡ方向からの矢視図。
【図５】  後退非掻寄状態の装置を示す装置の側断面図。
【考案を実施するための形態】
【０００９】  以下、この考案の一実施形態を示す図１ないし図５によって説明する。図１ないし図４は前進掻寄状態を示し、図５は後退非掻寄状態を示す。
これらの図における１は矩形沈澱池で図１および図２における図の左が上流側で右が下流側であり、２が前側端壁、３が後側端壁で、これら端壁２，３は、上からみて矩形の短辺に対応し、矩形の長辺は池幅方向に対面する左右の側壁４が対応する。前側端壁２の上部には図示しない整流孔付きの整流板（壁）が設けられてそれより左側の流入渠（図示省略）に導入される汚水を多数の整流孔を通じて沈澱池１内に極く緩徐に導入するようになっている。この導入された汚水の流速は、汚泥掻寄装置の後退（復帰）非掻寄よりも速い。
５は底壁（池底）で、その前側端壁２側である汚泥掻寄方向側には汚泥ピット６が凹設されている。このピット６には回収した汚泥の吸揚ポンプが設けられる。
【００１０】  沈澱池１内の底壁５上には、池幅間中央ラインに同芯状をなすようにしてガイドレール（案内軌道）７が敷設されている。このガイドレール７は、水平辺と垂直辺とからなるアングル型の長い（４ｍ前後）もので、それらを直列に配備して図示しないケミカルインサートを介して固定してなる。このガイドレール７の左右一対が４００ｍｍ前後の間隔を置いて平行状に設けられている。
【００１１】  １０は機体で、その機体本体１１は長尺なＳＵＳ製丸パイプで前後直列配置してなり、その前後の本体１１には、前後両端に接合フランジ１２が設けられている。１５は前取付台（ＳＵＳ製）で、図４に示すように、左右の側枠１６と、側枠１６間に固定された中間枠１７とでなっている。側枠１６は、溝型枠を縦向きにしてなり、中間枠１７は、側枠１６の上部内に水平に固定される受板部１７ａと側枠１６内に縦向きに添う縦板部１７ｂおよび両縦板部１７ｂ間に一体化された幅板部１７ｃとでなっている。幅板部１７ｃには、前記接合フランジ１２が止め付けられている。
【００１２】  側枠１６の下部内には前車輪である走行輪１８が車軸を介して回転自在に取り付けられて前記ガイドレール７を転動するようになっている。２０は上下合わせ型の軸受で樹脂製であり、この軸受２０間にスクレーパ軸２１を回転自在に挟んだ状態で側枠１６，１６内にこれら軸受２０をセットし止着具２２により固定するようにしてある。２３は左右の汚泥スクレーパで、その下部前面にはゴム掻き板を備えることもある。
【００１３】  こうした前取付台１５は同じ構成で前後間取付台２５としても構成されている。また、後取付台２７としても同じく構成されている。只、後取付台２７の場合は、受枠１７がその溝を後向きにしてある。
【００１４】  各スクレーパ軸２１の下回りには、軸回りレバー３０が下方に向けて垂下されている。軸回りレバー３０には連動リンク３１が連結され、その連動リンク３１の先端には機体本体１１にローラー３２を介して進退自在とされた案内ブラケット３３の上端にピン結合されている。案内ブラケット３３は前ストッパ３５と後ストッパ３６との間で進退し得るようになっている。
【００１５】  ４０はピット６上に配備されたヘッドホイール、４１はテールホイールで、これらに掛けられた伝導材４２はリンクチェーンであって池上からの駆動源によりＸ方向あるいはＹ方向に切り換え駆動されるようになっている。Ｘ方向は前進掻寄方向で、Ｙ方向は後退非掻寄方向である。この伝導材４２の一方には、前記案内ブラケット３３…が連結されている。
【００１６】  図１ないし図３は前進掻寄途上の状態を示す。そのとき、伝導材４２はＸ方向に牽かれて案内ブラケット３３が前進することで全ての汚泥スクレーパ２３は垂直な掻寄状態になって前進し汚泥をピット方向に掻き寄せる態勢となっている。前端の汚泥スクレーパ２３がピット６上に来たところで駆動源は反転し伝導材４２はＹ方向に牽かれることになり、案内ブラケット３３がＹ方向に連動することにより汚泥スクレーパ２３は図５のように後下がり状に持ち上げられるとともに案内ブラケット３３が後ストッパ３６にて停止されることにより後上がり状態を維持するようになってのち後上がり状態のまま機体１０は後退させられることになる。このように汚泥スクレーパ２３は後側に持ち上がったままで超微速でＹ方向に移動されることになるので、ピット６側から迫ってくるそれよりやや速い汚泥流Ｂであっても図５のように浮き上がらせることなく下方流として誘導するようになる。その結果、汚泥の沈降傾向を促進して水質改善効果を上げることができることになる。
尚、スクレーパ軸２１の上側には逆Ｌ字状の浮上規制板２４を突設しておいて、図５のように汚泥流が上向きに浮上しないようにすることができる。この浮上規制板２４は、汚泥スクレーパ２３の復帰時の持ち上げを軽く確実に行えるようにウエイト機能を持たせてもよい。
【符号の説明】
【００１７】  １…沈澱池  ２…前側端壁  ３…後側端壁  ４…側壁  ５…底壁  ６…汚泥ピット  ７…ガイドレール  １０…機体  １５…前取付台  １８…走行輪  ２１…スクレーパ軸  ２３…汚泥スクレーパ  ２５…前後間取付台  ２７…後取付台  ３０…軸回りレバー  ３１…連動リンク。
【図１】
0003223416.tif 000003
【図２】
0003223416.tif 000004
【図３】
0003223416.tif 000005
【図４】
0003223416.tif 000006
【図５】
0003223416.tif 000007